(57)【要約】【課題】  シート状物の延伸機において、簡便な構造でリンクチェンの逆折れを防止し、リンク装置の高速化を図る。【解決手段】  折尺状に形成された複数個の等長リンク装置３１及び該等長リンク装置３１に設けられたリンク開き量を制限するリンクチェン３６から成る無端リンク装置３を用いてシート状物１を延伸する装置において、シート状物１を延伸後、入口側のスプロケット部に戻る無端リンク装置３のリンクピッチを縮小させるスプロケット６を偶数の歯数にし、スプロケット６の一歯飛ばしの位置で歯底部にリンクチェンの押出し手段６１を設ける。【選択図】図４
2006205409.tif 000002
【特許請求の範囲】
【請求項１】
折尺状に形成された複数個の等長リンク装置と該等長リンク装置に取り付けられリンク開き量を制限するリンクチェンとから成る無端リンク装置と、前記無端リンク装置を駆動する複数のスプロケットとを具備するシート状物の延伸機において、前記複数のスプロケットのうち前記等長リンク装置のリンクピッチを縮小させるスプロケットに該スプロケットから前記リンクチェンが離れる際に該リンクチェンを押し出す押出し手段を設けたことを特徴とするシート状物の延伸機。
【請求項２】
シート状物の端部を把持する複数の掴み装置を前記シート状物の両側端に具備した無端リンク装置を設け、該無端リンク装置は、折尺状に形成された複数個の等長リンク装置及び該等長リンク装置に設けられたリンク開き量を制限するリンクチェンから成り、入口側及び出口側のスプロケット部により駆動され、前記入口側スプロケット部から送り出され進行方向に末広がり状に配置された案内用ガイドレールに案内されてシート状物を延伸させた後にシート状物を外し、前記出口側スプロケット部を介して前記入口側スプロケット部に戻るように構成されたシート状物の延伸機において、
前記入口側のスプロケット部が前記出口側のスプロケット部から送られてくる無端リンク装置のリンクピッチを縮小する区間を有し該区間の開始部と出口部のそれぞれに設けたスプロケットから成り、前記リンクピッチ縮小区間開始部のスプロケットを偶数の歯数とし、該スプロケットの一歯飛ばしの位置で歯底部に前記リンクチェンの押出し手段を設けたことを特徴とするシート状物の延伸機。
【請求項３】
請求項２において、前記リンクチェンの押出し手段に圧縮コイルバネを用いたシート状物の延伸機。
【請求項４】
請求項２において、前記リンクピッチ縮小区間開始部のスプロケットが二枚の合せ構造であり、該スプロケットの合せ面の間に前記リンクチェン押出し手段を組み込んだシート状物の延伸機。
【発明の詳細な説明】
【技術分野】
【０００１】
本発明は、シート状物、例えば熱可塑性樹脂フィルム等を延伸する装置に関するものである。
【背景技術】
【０００２】
従来の同時二軸延伸機のリンク装置は、特開平６−２７８２０４号公報に記載されているように、リンク装置のつかみピッチを縮小開始する位置にスプロケットを設置し、スプロケットと噛み合った時にリンクチェンを初期曲げし、続いてガイドレールの規制により徐々に縮小させ、最小ピッチでフィルム供給に押し込むスプロケットに噛み合わせる構成となっていた。
【０００３】
このような構成のリンク装置においては、二軸延伸機の高速化によってピッチ縮小開始時のリンクチェンの逆折れが生じることがある。リンクチェンの逆折れはリンク装置の破損にもつながり、このようなトラブルを防止する方法としては、特開２００１−113594号公報に記載されているように、リンク装置が正常に折り畳まれる方向と逆向きに折り畳まれたことを検知する検知器を設け、検知器が作動した時に延伸機の運転を停止する機構を設け、リンク逆折れによるトラブルを防止する方法が知られている。
【０００４】
また、リンク装置の逆折れを防止する方法として、特開平６−２１０７２６号公報に記載のように、ピッチ収縮（ＭＤ収縮）助勢装置の前側に、一点をピンで支持されピッチ収縮助勢装置と連動してリンク装置に接する部分が往復運動を繰り返すガイド板を設置して、リンク装置のリンクチェンがピッチ収縮助勢装置を通過する前に、ガイド板がリンクチェンのピン連結部をリンク装置の内側に押し込み、リンクチェンが押し込まれた状態でリンク装置がピッチ収縮助勢装置を通過するようにし、ピッチ収縮の際の逆折れを防止する方法が知られている。
【０００５】
【特許文献１】特開平６−２７８２０４号公報
【特許文献２】特開２００１−１１３５９４号公報
【特許文献３】特開平６−２１０７２６号公報
【発明の開示】
【発明が解決しようとする課題】
【０００６】
上記特許文献２に開示された従来の技術は、リンクの逆折れを検知して装置を止めるというものであり、逆折れを防止して稼働率を向上させる点について配慮されていない。
【０００７】
また、上記特許文献３に開示された従来の技術は、シート状物延伸後の無端リンク装置の戻り区間となる無端リンク装置駆動用の出口側及び入口側のスプロケットの間のラインにピッチ収縮助勢装置を設けたものとなっている。このように本従来技術は、出口側及び入口側スプロケット間の長い区間で無端リンク装置のピッチを縮小させているので、全体のリンク数が多く必要になる。また、ピッチ収縮助勢装置が大きなものになっており、ピッチ縮小区間の短い箇所への取り付けができないという問題がある。
【０００８】
本発明の目的は、簡便な構造でリンクチェンの逆折れを防止し、リンク装置の高速化を図ることのできるシート状物の延伸機を提供することにある。
【課題を解決するための手段】
【０００９】
本発明の上記目的は、折尺状に形成された複数個の等長リンク装置と該等長リンク装置に取り付けられリンク開き量を制限するリンクチェンとから成る無端リンク装置と、無端リンク装置を駆動する複数のスプロケットとを具備するシート状物の延伸機において、複数のスプロケットのうち等長リンク装置のリンクピッチを縮小させるスプロケットに該スプロケットからリンクチェンが離れる際に該リンクチェンを押し出す押出し手段を設けることにより、達成される。
【００１０】
また、本発明の上記目的は、シート状物の端部を把持する複数の掴み装置を前記シート状物の両側端に具備した無端リンク装置を設け、該無端リンク装置は、折尺状に形成された複数個の等長リンク装置及び該等長リンク装置に設けられたリンク開き量を制限するリンクチェンから成り、入口側及び出口側のスプロケット部により駆動され、入口側スプロケット部から送り出され進行方向に末広がり状に配置された案内用ガイドレールに案内されてシート状物を延伸させた後にシート状物を外し、出口側スプロケット部を介して入口側スプロケット部に戻るように構成されたシート状物の延伸機において、入口側のスプロケット部が出口側のスプロケット部から送られてくる無端リンク装置のリンクピッチを縮小する区間を有し該区間の開始部と出口部のそれぞれに設けたスプロケットから成り、リンクピッチ縮小区間開始部のスプロケットを偶数の歯数とし、該スプロケットの一歯飛ばしの位置で歯底部にリンクチェンの押出し手段を設けることにより、達成される。
【００１１】
さらに、リンクチェンの押出し手段に圧縮コイルバネを用いる。
【００１２】
さらに、リンクピッチ縮小区間開始部のスプロケットが二枚の合せ構造であり、該スプロケットの合せ面の間にリンクチェン押出し手段を有する。
【発明の効果】
【００１３】
本発明のシート状物の延伸機は、省スペースな簡便な構造でリンクチェンの逆折れを防止できるので、無端リンク装置を高速で駆動することができ、生産性を向上させることができるという効果がある。
【発明を実施するための最良の形態】
【００１４】
本発明は、無端リンク装置を用いたシート状物の延伸機において、無端リンク装置に設けたリンクの開き量を制限するリンクチェンを、無端リンク装置のリンクピッチ縮小開始位置でスプロケットに取り付けた押出し手段によってスプロケットの外周側に押し出し、リンクチェンの逆折れを防止するものである。
【００１５】
また、本発明は、リンク開き量を制限するリンクチェンを有する等長リンク装置からなる無端リンク装置を用いたシート状物の延伸機において、シート状物の入口側と出口側に設けたスプロケット部により駆動される無端リンク装置のシート状物延伸後のリンク装置のピッチ縮小区間をシート状物の入口側のスプロケット部に設定し、入口側スプロケット部のピッチ縮小区間の開始部と出口部のそれぞれにスプロケットを設け、リンクピッチ縮小区間開始部のスプロケットを偶数の歯数とし、該スプロケットの一歯飛ばしの位置で歯底部にリンクチェンの押出し手段を設けたものである。
【００１６】
これによれば、リンクピッチ縮小区間開始部のスプロケットにリンクチェンの押出し手段を設けたので、ガイドレールにより無端リンク装置を案内する部分にピッチ収縮助勢装置を設ける必要もなく、また、リンクピッチ縮小区間を入口側スプロケット部の開始部と出口部のスプロケット間の短い区間で行うことができ、省スペースな簡便な構造とすることができる。また、リンクピッチ縮小区間でのリンクチェンの逆折れを防止できるので無端リンク装置の高速化が可能となる。
【実施例１】
【００１７】
本発明の一実施例を図１〜図４により説明する。
【００１８】
図１は本発明の実施例である同時二軸延伸機の平面図であり、図２は図１の入口側スプロケット部の詳細を示す平面図であり、図３は図２のＡ部（リンクチェン押出し手段の取り付け部）の詳細を示す部分平面図であり、図４は図２のＡ部をＢ−Ｂから見た縦断面図であり、その構成および動作は以下の通りである。
【００１９】
シート状物１の端部を把持する複数（多数）の掴み装置２をシート状物１の両側に具備した無端リンク装置３（図中リンクの一部並びに片側の無端リンクは省略）は、折尺状に形成された複数個（多数個）の等長リンク装置３１より構成される。また、無端リンク装置３は、シート状物の入口側スプロケット部のスプロケット６，７及び出口側スプロケット部のスプロケット８で駆動される。無端リンク装置３は入口側スプロケット部のスプロケット７により送り出され、入口に設けられた開閉ガイド等の開閉手段（図示せず）により掴み装置２が開閉されてシート状物１を掴み、シート状物１を送ってシート状物を予熱区間（図示せず）で延伸に必要な温度に加熱させる。さらに、無端リンク装置３は、延伸区間において、進行方向に末広がり状に配置されたガイドレール４，５に案内されて掴みピッチをピッチＰ１からＰ２に徐々に拡大され、これにより、シート状物１を縦横二方向（ＭＤ方向およびＴＤ方向）に同時に延伸する。その後、無端リンク装置３は、シート状物１を熱処理区間において所定の温度で熱固定し、冷却区間で急冷するようにそれぞれの領域に送り、出口に設けられた開閉ガイド等の開閉手段（図示せず）により掴み装置２を開閉してシート状物１を外す。外されたシート状物１はそのまま進行し巻き取り装置（図示省略）に巻き取られる。さらに、無端リンク装置３は、出口側スプロケット部のスプロケット８により駆動されて、入口側スプロケット部のスプロケット６に戻るように構成される。なお、無端リンク装置３のリンク構成としては、特公平５−４８９６号公報に記載された無端リンク装置を参照することができる。
【００２０】
入口側スプロケット部では図２に示すように、出口側スプロケット部のスプロケット８により駆動されて大きなピッチ（この場合、リンク数を少なくするために最大ピッチ）で入口側スプロケット部のスプロケット６に戻って来た等長リンク装置３１を、スプロケット７側に押し出し等長リンク装置のピッチを徐々に狭めていく。
【００２１】
このとき、スプロケット６が等長リンク装置３１を送り出す際に、等長リンク装置３１のリンクプレート３２及び３３の端部をつなぐリンクチェン３６が逆に折れないように、スプロケット６に設けたリンクチェン押出し手段であるプッシャ６１でリンクチェン３６を等長リンク装置３１の内側に折り込むように押す。これにより、リンクピッチが縮小される等長リンク装置３１のリンクチェン３６の逆折れを防止することができる。
【００２２】
スプロケット６は、図２及び図３に示すように等長リンク装置３１のリンク軸３５を支持する溝部分とリンクチェン３６の結合部のピン３７が入り込む溝とが交互に設けられ、偶数の歯数で形成されている。プッシャ６１は、リンクチェン３６のピン３７が入り込む溝部分に相当するスプロケット６の一歯飛ばしの歯底部の位置に設けられる。なお、この場合は、プッシャ６１の数を少なくするためにスプロケット６の歯数を偶数にしたが、プッシャ６１を全歯数分取り付けてスプロケット６の歯数を奇数にしても構わない。
【００２３】
プッシャ６１は、図３及び図４に示すように、ベース６１１とベース６１１に螺合させたカバー６１４とによってその中にロッド６１２を軸方向に移動可能に支持し、カバー
６１４内に設けたコイルバネ６１３によってロッド６１２を常時押出す方向に押し付けるように構成されている。プッシャ６１のロッド６１２の先端は通常押出された状態になっており、スプロケット６の回転に伴って等長リンク装置３１のリンク軸３５及びリンクチェン３６のピン３７が順次スプロケット６に噛み込まれた際に、ピン３７にロッド６１２の先端が当り、さらにスプロケット６の回転によってピン３７によってロッド６１２が押し込まれる。さらにスプロケット６が回転すると、等長リンク装置３１のリンク軸３５及びリンクチェン３６のピン３７が順次スプロケット６から外れる。その際に、ピン３７がロッド６１２の先端から外れる方向に動くが、ロッド６１２はコイルバネ６１３の力によってピン３７を押し続ける。これにより、ピン３７は等長リンク装置３１のピッチが小さくなる際にリンクの内側に押し込まれることとなる。
【００２４】
なお、等長リンク装置３１は、この場合、図４に示す構成になっている。すなわち、一対になっているガイドレール４，５のうち、シート状物１に近い方のシート側ガイドレール４にはシート状物１を把持する掴み装置２が連結されたリンク軸３４が配置され、他方の反シート側ガイドレール５には掴み装置２を有さないリンク軸３５が配置される。リンク軸３４，３５はリンクプレート３２，３３により連結される。リンク軸３４(又は３５)の最下端にはリンク軸に対し回動可能な軸受ホルダ３８が設けられ、軸受ホルダ３８の外側には一対の鍔付ローラ３９を具備する。一対の鍔付ローラ３９はリンク装置の動きを規制するガイドレール４及び５をそれぞれに挟み、ガイドレール４，５の両側面を転動，走行し、ガイドレール４，５の上面に鍔付ローラ３９の鍔が当接することでリンク装置の自重を保持する。
【００２５】
以上、本発明によれば、スプロケットにプッシャを取り付けるという簡単な構成により、等長リンク装置のピッチが縮小される入口側スプロケット部において、リンクチェンの逆折れを防止する従来のようなピッチ収縮助勢装置を新たに設けることなく、確実にリンクチェンの逆折れを防止することができる。これにより、無端リンク装置を高速で駆動しても等長リンク装置のピッチ縮小区間でのリンクチェンの逆折れによるトラブルを防止することができ、生産性を上げることができる。
【実施例２】
【００２６】
図５は本発明のシート状物の延伸機のその他の実施例を示すもので、スプロケットに取り付けるプッシャの他の例を示す断面図である。本図は図４に示されたスプロケット６及びプッシャ６１の代わりに、スプロケットを板厚方向に２枚に分割し、歯底部にロッド
６１６及びコイルバネ６１５を組み込む空間を設け、ロッド６１６及びコイルバネ６１５をスプロケット６ａ及び６ｂで挟み込んで支持する構成とした。ロッド６１６にはプッシャ６１に用いたロッド６１２と同様の鍔部が形成されており、一端がコイルバネ６１５と当接し、他端がロッド６１６の抜け止めのストッパの役目をする。これにより、リンクチェン押出し手段をさらにコンパクト化でき、従来のスプロケットと交換するだけで簡単に本発明の目的を達成できる。
【００２７】
なお、これら本発明の実施例では、プッシャを押出す動力源としてコイルバネを用いたが、これに限られるものではない。例えば、弾性容器内に加圧気体を入れたもの、皿バネを重ねたもの、板バネ等種々の弾性体を利用することができる。
【産業上の利用可能性】
【００２８】
回転体から離れる際に、逆方向に動作の可能性のある機構を有する装置に適用できる。
【図面の簡単な説明】
【００２９】
【図１】本発明の一実施例であるシート状物の延伸機を示す同時二軸延伸機の平面図である。
【図２】図１における入口側スプロケット部の詳細を示す平面図である。
【図３】図２におけるＡ部の詳細を示す部分平面図である。
【図４】図２におけるＡ部をＢ−Ｂから見た縦断面図である。
【図５】本発明の他の実施例を示すスプロケットの縦断面図である。
【符号の説明】
【００３０】
１…シート状物、２…掴み装置、３…無端リンク装置、４，５…ガイドレール、６，
６ａ，６ｂ，７，８…スプロケット、３１…等長リンク装置、３２，３３…リンクプレート、３４，３５…リンク軸、３６…リンクチェン、３７…ピン、３８…軸受ホルダ、３９…鍔付ローラ、６１…プッシャ、６１１…ベース、６１２，６１６…ロッド、６１３，
６１５…コイルバネ、６１４…カバー。
【図１】
2006205409.tif 000003
【図２】
2006205409.tif 000004
【図３】
2006205409.tif 000005
【図４】
2006205409.tif 000006
【図５】
2006205409.tif 000007